(57)【要約】【課題】本発明は、頂部を有する曲面を有するレンズにおける潤滑液が付着している部位に光を入射し他端で集光する場合において、曲面に溝が形成されていないレンズに比べて、光の集光のばらつきを抑制することを目的とする。【解決手段】レンズ５４は、一端に頂部ＴＳ１を有する曲面５４Ａを有し、曲面５４Ａには溝Ｄが形成されており、曲面５４Ａで入射される光ＬＢを他端５４Ｂで集光させる。【選択図】図４
2016126208.tif 000002
【特許請求の範囲】
【請求項１】
一端に頂部を有する曲面を有し、
前記曲面には溝が形成されており、
前記曲面で入射される光を他端で集光させるレンズ。
【請求項２】
無端状であって、定められた経路を走行する透明ベルトと、
前記曲面に潤滑液が付着されている請求項１記載のレンズと、
前記透明ベルトの外周面における前記曲面に対向する部位に、被定着物に集光される光を入射させる光源と、
を備えた定着装置。
【請求項３】
無端状であって、定められた経路を走行する透明ベルトと、
前記曲面に潤滑液が付着されている請求項１記載のレンズと、
前記透明ベルトの外周面における前記曲面に対向する部位であって前記頂部に対向する部位よりも前記透明ベルトの走行方向下流側の部位に、被定着物に集光される光を入射させる光源と、
を備えた定着装置。
【請求項４】
前記溝は、前記透明ベルトの走行方向に沿って形成されている、
請求項２又は３記載の定着装置。
【請求項５】
前記透明ベルトの内周面には、溝が形成されている、
請求項２〜４の何れか１項記載の定着装置。
【請求項６】
前記外周面を押圧して、前記透明ベルトの内周面を前記曲面における前記頂部よりも前記透明ベルトの走行方向下流側の部位に押付ける押付部材、
を備えた請求項２〜５の何れか１項記載の定着装置。
【請求項７】
媒体に前記被定着物としての現像剤を用いて現像剤像を形成する形成手段と、
前記現像剤に光を集光させて前記媒体に定着させる請求項２〜６の何れか１項記載の定着装置と、
を備えた画像形成装置。
【発明の詳細な説明】
【技術分野】
【０００１】
本発明は、レンズ、定着装置及び画像形成装置に関する。
【背景技術】
【０００２】
特許文献１には、レーザ光が透過可能な透過部３ａを回転させる回転部材３と、回転部材３とで記録媒体１を加圧しながら搬送する対向部材４と、回転部材３内に設けられ、レーザ光を照射するレーザ光照射装置５と、を備えた定着装置４０が記載されている。そして、特許文献１の定着装置４０は、レーザ光照射装置５によりレーザ光を記録媒体１上の画像に透過部３ａを介して照射し、画像を加熱溶融した後に、回転部材３と対向部材４とにより画像を記録媒体に加圧して定着することが記載されている。
【先行技術文献】
【特許文献】
【０００３】
【特許文献１】特開２０１１−１２８２２３号公報
【発明の概要】
【発明が解決しようとする課題】
【０００４】
本発明は、頂部を有する曲面を有するレンズにおける潤滑液が付着している部位に光を入射し他端で集光する場合において、曲面に溝が形成されていないレンズに比べて、光の集光のばらつきを抑制することを目的とする。
【課題を解決するための手段】
【０００５】
請求項１のレンズは、一端に頂部を有する曲面を有し、前記曲面には溝が形成されており、前記曲面で入射される光を他端で集光させる。
【０００６】
請求項２の定着装置は、無端状であって、定められた経路を走行する透明ベルトと、前記曲面に潤滑液が付着されている請求項１記載のレンズと、前記透明ベルトの外周面における前記曲面に対向する部位に、被定着物に集光される光を入射させる光源と、を備えている。
【０００７】
請求項３の定着装置は、無端状であって、定められた経路を走行する透明ベルトと、前記曲面に潤滑液が付着されている請求項１記載のレンズと、前記透明ベルトの外周面における前記曲面に対向する部位であって前記頂部に対向する部位よりも前記透明ベルトの走行方向下流側の部位に、被定着物に集光される光を入射させる光源と、を備えている。
【０００８】
請求項４の定着装置は、請求項２又は３記載の定着装置において、前記溝は、前記透明ベルトの走行方向に沿って形成されている。
【０００９】
請求項５の定着装置は、請求項２〜４の何れか１項記載の定着装置であって、前記透明ベルトの内周面には、溝が形成されている。
【００１０】
請求項６の定着装置は、請求項２〜５の何れか１項記載の定着装置において、前記外周面を押圧して、前記透明ベルトの内周面を前記曲面における前記頂部よりも前記透明ベルトの走行方向下流側の部位に押付ける押付部材、を備えている。
【００１１】
請求項７の画像形成装置は、媒体に前記被定着物としての現像剤を用いて現像剤像を形成する形成手段と、前記現像剤に光を集光させて前記媒体に定着させる請求項２〜６の何れか１項記載の定着装置と、を備えている。
【発明の効果】
【００１２】
請求項１のレンズは、頂部を有する曲面を有するレンズにおける潤滑液が付着している部位に光を入射し他端で集光する場合において、曲面に溝が形成されていないレンズに比べて、光の集光のばらつきを抑制することができる。
【００１３】
請求項２の定着装置は、頂部を有する曲面に溝が形成されていないレンズを備えた定着装置に比べて、透明ベルトの軸方向での光の集光のばらつきを抑制することができる。
【００１４】
請求項３の定着装置は、透明ベルトにおけるレンズの一端に形成されている曲面が有する頂部に対向する部位の外周面に光を入射させて他端で集光する定着装置に比べて、時間による光の集光のばらつきを抑制することができる。
【００１５】
請求項４の定着装置は、曲面に溝が形成されていないレンズに比べて、透明ベルトを介して一端側から入射した光の他端側での集光のばらつきを抑制することができる。
【００１６】
請求項５の定着装置は、内周面に溝が形成されていない透明ベルトを備えた定着装置に比べて、透明ベルトの軸方向での光の集光のばらつきを抑制することができる。
【００１７】
請求項６の定着装置は、透明ベルトをレンズの曲面における頂部よりも透明ベルトの回転方向の下流側の部位に押付ける押付部材を備えていない定着装置に比べて、透明ベルトの軸方向での光の集光のばらつきを抑制することができる。
【００１８】
請求項７の画像形成装置は、定着装置を構成するレンズの摺動面に溝が形成されていない画像形成装置に比べて、定着不良に起因する画像形成不良を抑制することができる。
【図面の簡単な説明】
【００１９】
【図１】第１実施形態の画像形成装置を示す概略図(正面図)である。
【図２】第１実施形態の画像形成装置を構成する定着装置を示す概略図（正面図）である。
【図３】第１実施形態の定着装置を構成する透明ベルトの層構成を示す部分断面図である。
【図４】第１実施形態の定着装置を構成するレンズの概略図（斜視図）である。
【図５】第１実施形態のレンズの頂部周辺の概略図（部分断面図）を示す。
【図６】第１実施形態の定着装置を構成する光照射部が透明ベルトに光を照射している状態を示す概略図（側面図）を示す。
【図７】比較形態の定着装置における透明ベルトを上側から見た透視図であって、透明ベルトにおける光の入射部位とレンズの頂部付近にオイルが到達して不均一に付着している状態を示す模式図である。
【図８】第１実施形態の定着装置における透明ベルトを上側から見た透視図であって、透明ベルトにおける光の入射部位とレンズの頂部付近にオイルが到達して頂部を通過し均一に付着している状態を示す模式図である。
【図９】比較形態の定着装置を構成するレンズの概略図（斜視図）である。
【図１０】第２実施形態の画像形成装置を構成する定着装置を示す概略図（正面図）である。
【図１１】第２実施形態の定着装置を構成する加熱部の一部を示す概略図（正面図）であって、破線で挟まれた部位は、透明ベルトが軸周りに回転する際、透明ベルトの上下方向
【図１２】第３実施形態の画像形成装置を構成する定着装置を示す概略図（正面図）である。
【図１３】第４実施形態の画像形成装置を構成する定着装置を示す概略図（正面図）である。
【図１４】第５実施形態の定着装置を構成するベルトの概略図（斜視図）である。
【図１５】第５実施形態のレンズの頂部周辺の部分断面図を示す。
【図１６】（Ａ）及び（Ｂ）は、第１〜第４実施形態の定着装置を構成するレンズの変形例の概略図（部分断面図）である。
【図１７】（Ａ）及び（Ｂ）は、第１〜第４実施形態の定着装置を構成するレンズの変形例の概略図（上面図）である。
【図１８】第１〜第４実施形態の定着装置を構成するレンズの別の変形例の概略図（斜視図）である。
【図１９】（Ａ）、（Ｂ）及び（Ｃ）は、第１〜第４実施形態の定着装置を構成する透明ベルトの変形例の概略図（斜視図）である。
【発明を実施するための形態】
【００２０】
≪概要≫
以下、発明を実施するための形態（以下、実施形態という。）である５つの実施形態（第１〜第５実施形態）について、図面を参照しつつ説明する。
【００２１】
以下の説明では、図面に矢印Ｘ及び矢印−Ｘで示す方向を装置幅方向、図面に矢印Ｙ及び矢印−Ｙで示す方向を装置高さ方向とする。また、装置幅方向及び装置高さ方向のそれぞれに直交する方向（矢印Ｚ及び矢印−Ｚ方向）を装置奥行き方向とする。さらに、装置幅方向、装置高さ方向及び装置奥行き方向についてそれぞれの一方側と他方側とを区別する必要がある場合には、矢印Ｘ側を一方側、矢印−Ｘ側を他方側とし、矢印Ｙ側を上側、矢印−Ｙ側を下側とし、矢印Ｚ側を奥側、矢印−Ｚ側を手前側とする。
【００２２】
≪第１実施形態≫
［概要］
以下、本実施形態について説明する。まず、本実施形態の画像形成装置１０の全体構成について説明する。次いで、本実施形態の定着装置２０の構成について説明する。次いで、本実施形態の画像形成装置１０の動作について説明する。次いで、本実施形態の作用について説明する。
【００２３】
［画像形成装置の全体構成］
画像形成装置１０は、図１に示されるように、搬送部１２と、トナー画像形成部１４と、制御部１６と、定着装置２０と、を含んで構成される電子写真方式の画像形成装置とされている。搬送部１２は、媒体Ｐを搬送する機能を有する。トナー画像形成部１４は、帯電、露光、現像、転写の各工程を行って、搬送される媒体Ｐ上にトナーＴで構成されるトナー像Ｇを形成する機能を有する。制御部１６は、画像形成装置１０を構成する制御部１６以外の各部を制御する機能を有する。定着装置２０は、トナー像Ｇを媒体Ｐ上に定着する機能を有する。ここで、トナーＴは、現像剤及び被定着物の一例である。トナー像Ｇは、現像剤像の一例である。トナー画像形成部１４は、形成手段の一例である。
【００２４】
［定着装置］
定着装置２０は、図２に示されるように、加熱部３０と、加圧部４０と、を含んで構成されている。
【００２５】
〔加熱部〕
加熱部３０は、トナー画像形成部１４により媒体Ｐ上に形成されたトナー像Ｇを、加熱する機能を有する。加熱部３０は、本体５０と、光照射部６０と、備えている。
【００２６】
〈本体〉
本体５０は、透明ベルト５２と、キャップ（図示省略）と、ギア（図示省）と、レンズ５４と、ガイド部５６と、潤滑液供給部５８（以下、供給部５８という。）と、を備えている。
【００２７】
（透明ベルト）
透明ベルト５２は、筒状とされており、その軸（図５の一点鎖線ＣＬ）が装置奥行き方向に沿った状態で配置されている。また、透明ベルト５２の装置奥行き方向手前側の端部にはキャップ（図示省略）がはめ込まれ、装置奥行き方向奥側の端部にはギア（図示省略）が嵌め込まれている。そして、ギア（図示省略）が駆動源（図示省略）により軸（自らの軸）周りに回転されることに伴い、透明ベルト５２は、定められた経路を走行するようになっている。ここで、定められた経路は、図２における透明ベルト５２が軸周りに（図中の矢印Ｒ１方向に）回転する経路をいう。また、図中の矢印Ｒ１方向は、透明ベルト５２の走行方向である。なお、透明ベルト５２は、後述する筒体４２が軸周りに回転することに伴い、筒体４２に従動して軸周りに回転するようになっている。そして、上記駆動源は、透明ベルト５２の周速が筒体４２の周速と同等となるように、透明ベルト５２を駆動させる機能（筒体４２による透明ベルト５２の従動回転を補助する機能）を有する。そのため、上記駆動源が透明ベルト５２を回転させる駆動トルクは、筒体４２を回転させる駆動源（図示省略）が筒体４２を回転させる駆動トルクよりも小さい。
【００２８】
透明ベルト５２は、後述する光照射部６０が照射する光ＬＢ（レーザ光）の一部を透過するように構成されている。本実施形態では、透明ベルト５２における光照射部６０が照射する光ＬＢの透過率（透明ベルト５２の外周面から入射した光ＬＢのうち透明ベルト５２を通過して内周面から出射する光ＬＢの百分率）は、一例として９５％とされている。
【００２９】
透明ベルト５２は、図３に示されるように、その内周側から外周側に亘って、基材層５２Ａと、基材層５２Ａに積層されている弾性層５２Ｂと、弾性層５２Ｂに積層されている離型層５２Ｃとの３層で構成されている。なお、基材層５２Ａは透明ベルト５２に必要な強度を維持させ、弾性層５２Ｂは透明ベルト５２に弾性体としての性質を持たせ、離型層５２Ｃは媒体Ｐ上の加熱されたトナーＴが透明ベルト５２にオフセットし難くする機能を有する。
【００３０】
（レンズ）
レンズ５４は、図２に示されるように、装置奥行き方向から見て、一端に入射した光ＬＢを他端で集光する機能を有する。
【００３１】
レンズ５４は、透明ベルト５２内に配置されている。レンズ５４は、図２及び図４に示されるように、装置奥行き方向から見ると長尺とされており、その長手方向が装置高さ方向に沿った状態で配置されている。また、レンズ５４は、図４に示されるように、装置幅方向から見ると長尺とされており、その長手方向が装置奥行き方向に沿った状態で配置されている。
【００３２】
レンズ５４を装置奥行き方向から見ると、レンズ５４の装置高さ方向上側の端部（一端）には、図２に示されるように、装置高さ方向上側に突出している曲面５４Ａが形成されている。曲面５４Ａは、透明ベルト５２の内周面、換言すれば、透明ベルト５２が走行する定められた経路に最も近い頂部ＴＳ１を有している。そして、頂部ＴＳ１を含む曲面５４Ａの一部には、後述するシリコーンオイルＯを介して透明ベルト５２の内周面が摺動するようになっている。すなわち、曲面５４Ａは透明ベルト５２が摺動する摺動面とされている。
【００３３】
また、レンズ５４を装置高さ方向上側から見ると、レンズ５４の曲面５４Ａには、図４に示されるように、頂部ＴＳ１に対して透明ベルト５２の走行方向上流側から下流側に亘って透明ベルト５２の内周面側に突出している曲面を有する凸部ＣＳが形成されている。各凸部ＣＳの縁は、レンズ５４の頂部ＴＳ１全体を含む仮想平面（ＹＺ面）で切った断面で見ると、図５に示されるように、透明ベルト５２の内周面側に突出し、透明ベルト５２の内周面に最も近い頂部ＴＳ１を有する曲線を形成している。そして、各凸部ＣＳは、装置奥行き方向に連続して並べられている。
【００３４】
また、隣接する凸部ＣＳの頂部ＴＳ１同士の間には、図４及び図５に示されるように、溝Ｄが形成されている。各溝Ｄは、前述の凸部ＣＳとの関係から、装置奥行き方向に亘って隣接する頂部ＴＳ１の配置間隔で並べられている。そして、各溝Ｄは、曲面５４Ａにおける頂部ＴＳ１に対して透明ベルト５２の走行方向上流側から頂部ＴＳ１に対して下流側に亘って、透明ベルト５２の走行方向に沿って形成されている。なお、凸部ＣＳの装置奥行き方向の幅は一例として５０μｍ以上５ｍｍ以下、凸部ＣＳの高さ（装置高さ方向における隣接する凸部ＣＳの境界から凸部ＣＳの頂部ＴＳ１までの距離）は一例として１０μｍ以上５００μｍ以下とされている。本実施形態では、凸部ＣＳの装置奥行き方向の幅は一例として１００μｍ、凸部ＣＳの高さは一例として２０μｍとされている。
【００３５】
また、レンズ５４の装置高さ方向下側の端部（他端）には、図２に示されるように、装置高さ方向下側に突出している曲面５４Ｂが形成されている。また、レンズ５４の曲面５４Ｂには、シリコーンオイルＯを介して透明ベルト５２が巻き掛けられている。なお、曲面５４Ａの曲率は、曲面５４Ｂの曲率よりも大きい。また、レンズ５４における装置奥行き方向から見た短手方向の両端には、装置高さ方向に沿った平面５４Ｃが形成されている。
【００３６】
また、レンズ５４は、装置奥行き方向から見ると、頂部ＴＳ１を通る装置高さ方向に沿った仮想直線（図中の一点鎖線）に対して線対称とされている。
【００３７】
以上のような構成とされているため、レンズ５４は、装置奥行き方向から見ると、装置高さ方向を進行方向し、曲面５４Ａに入射する光ＬＢを、曲面５４Ｂの中心部分ＴＳ２（図中の一点鎖線と重なる部分をいう。）に集光するようになっている。
【００３８】
（ガイド部）
ガイド部５６は、図２に示されるように、装置幅方向両側からレンズ５４を挟んで支持する機能と、軸周りに回転する透明ベルト５２が筒状のまま回転するようにガイドする機能と、を有する。ガイド部５６は、第１ガイド部５６Ａと、第２ガイド部５６Ｂと、を備えている。第１ガイド部５６Ａ及び第２ガイド部５６Ｂは、何れも長尺とされており、それらの長手方向が装置奥行き方向に沿った状態で、透明ベルト５２内に配置されている。
【００３９】
第１ガイド部５６Ａの装置幅方向一方側（−Ｘ方向側）には、装置奥行き方向から見ると、装置高さ方向に沿う平面５６Ａ１が形成されている。また、第１ガイド部５６Ａの装置幅方向他方側（Ｘ方向側）には、装置奥行き方向から見ると、装置奥行き方向他方側に突出する湾曲面５６Ａ２が形成されている。
【００４０】
第２ガイド部５６Ｂの装置幅方向一方側には、装置奥行き方向から見ると、装置奥行き方向一方側に突出する湾曲面５６Ｂ２が形成されている。また、第２ガイド部５６Ｂの装置幅方向他方側には、装置奥行き方向から見ると、装置高さ方向に沿う平面５６Ｂ１が形成されている。なお、湾曲面５６Ｂ２には、装置幅方向一方側に開口する凹部５６Ｂ３が装置奥行き方向全域に亘って形成されている。凹部５６Ｂ３には、後述する供給部５８が収容されている。
【００４１】
また、平面５６Ａ１及び平面５６Ｂ１の短手方向の幅は、レンズ５４の平面５４Ｃの短手方向の幅と同等されている。そして、ガイド部５６は、第１ガイド部５６Ａの平面５６Ａ１の全域がレンズ５４の装置幅方向他方側の平面５４Ｃ全域に重なり、第２ガイド部５６Ｂの平面５６Ｂ１の全域がレンズ５４の装置幅方向一方側の平面５４Ｃ全域に重なった状態で、レンズ５４を支持している。
【００４２】
なお、第１ガイド部５６Ａの湾曲面５６Ａ２及び第２ガイド部５６Ｂの湾曲面５６Ｂ２の曲率は、レンズ５４の曲面５４Ａの曲率よりも小さい。そのため、装置奥行き方向から見て、湾曲面５６Ａ２と曲面５４Ａとの境界及び湾曲面５６Ｂ２と曲面５４Ａとの境界は、不連続な曲面で繋がっている。これに対して、第１ガイド部５６Ａの湾曲面５６Ａ２及び第２ガイド部５６Ｂの湾曲面５６Ｂ２の曲率は、レンズ５４の曲面５４Ｂの曲率と同等とされている。そのため、装置奥行き方向から見て、湾曲面５６Ａ２と曲面５４Ｂとの境界及び湾曲面５６Ｂ２と曲面５４Ｂとの境界は、連続な曲面で繋がっている。
【００４３】
（供給部）
供給部５８は、透明ベルト５２の内周面に、シリコーンオイルＯ（図７及び図８参照）を供給する機能を有する。ここで、シリコーンオイルＯは、潤滑液の一例である。なお、シリコーンオイルＯは、レンズ５４の曲面５４Ｂと、軸周りに回転する透明ベルト５２の内周面との間に介在することで、レンズ５４の曲面５４Ｂに対する透明ベルト５２の滑り性を向上させるため（摩擦を低減させるため）のものである。また、シリコーンオイルＯは、光ＬＢを透過させることができる。
【００４４】
供給部５８は、長尺とされている。そして、供給部５８は、図２に示されるように、その長手方向が装置奥行き方向に沿った状態で、第２ガイド部５６Ｂに形成された凹部５６Ｂ３内に一部がはみ出した状態で収容されている。また、供給部５８における凹部５６Ｂ３からはみ出した部位が、透明ベルト５２の内周面に接触している。本実施形態の供給部５８は、一例としてフェルト材で構成されており、フェルト材にはシリコーンオイルＯが含浸されている。そのため、供給部５８は、含浸されているシリコーンオイルＯを透明ベルト５２の内周面における供給部５８が接触する部位に供給するようになっている。その結果、供給部５８に含浸されているシリコーンオイルＯは、透明ベルト５２が軸周りに回転することで、透明ベルト５２の内周面全域に供給されるようになっている。
【００４５】
〈光照射部〉
光照射部６０は、媒体Ｐ上に形成されたトナー像Ｇを加熱するための光ＬＢを照射する機能を有する。光照射部６０は、図２及び図６に示されるように、レーザアレイ６２と、コリメートレンズ６４と、を備えている。本実施形態の加熱部３０では、光照射部６０が、装置奥行き方向に沿って、複数配列されている。各光照射部６０は、透明ベルト５２の上側に配置されている。また、各レーザアレイ６２は、装置奥行き方向に沿って、光源６６が複数個配列されて構成されている。
【００４６】
光源６６は、図２に示されるように、装置奥行き方向から見ると、透明ベルト５２におけるレンズ５４の頂部ＴＳ１に対向する部位の外周面に、装置高さ方向に沿って進行する光ＬＢを入射させるようになっている。具体的には、光源６６は、光ＬＢの光軸（図中一点鎖線）が装置奥行き方向から見てレンズ５４の頂部ＴＳ１に重なる位置に配置されている。
【００４７】
また、光源６６は、図６に示されるように、装置幅方向から見ると、装置高さ方向に沿って進行する光ＬＢ（図中の一点鎖線）と、装置高さ方向に傾斜する方向に沿って進行する光ＬＢ（図中の破線）とを、透明ベルト５２の外周面に入射させるようになっている。なお、装置高さ方向に傾斜する方向は、透明ベルト５２の軸に対して傾斜する方向である。なお、各光照射部６０は、隣接する光照射部６０のうち一の光照射部６０の光源６６が照射する光ＬＢと、他の光照射部６０の光源６６が照射する光ＬＢとが、透明ベルト５２の外周面に重なって入射するように、配列されている。
【００４８】
〔加圧部〕
加圧部４０は、図２に示されるように、透明ベルト５２を挟んでレンズ５４の曲面５４Ｂの反対側で透明ベルト５２の外周面に接触して透明ベルト５２とともにニップＮを形成する機能を有する。そして、加圧部４０は、ニップＮに搬送される媒体Ｐ上のトナー像Ｇを透明ベルト５２とともに加圧する機能を有する。
【００４９】
加圧部４０は、筒体４２と、キャップ（図示省略）と、ギア（図示省略）と、を備えている。筒体４２は、装置奥行き方向に沿って配置されている。また、筒体４２の装置奥行き方向手前側の端部にはキャップ（図示省略）がはめ込まれ、装置奥行き方向奥側の端部にはギア（図示省略）が嵌め込まれている。そして、ギア（図示省略）が駆動源（図示省略）により軸（自らの軸）周りに回転されることに伴い、筒体４２は、軸周りに（図中矢印Ｒ２方向に）回転するようになっている。
【００５０】
筒体４２は、変形可能に構成されており、透明ベルト５２を挟んだレンズ５４の曲面５４Ｂの反対側の部位において、接触する透明ベルト５２が食い込んだ状態で、ニップＮを形成している。また、ニップＮは、曲面５４Ｂの中心部分ＴＳ２に対向する透明ベルト５２の外周面の部位を含んで形成されている。そのため、筒体４２が媒体Ｐを加圧する部位には、光源６６が照射した光ＬＢが集光するように構成されている。
【００５１】
〔補足〕
以上の説明では、定着装置２０の構成要素に分けて、定着装置２０の構成を説明した。ここでは、定着装置２０の構成要素間の関係について、補足する。
【００５２】
〈補足１〉
前述のとおり、レンズ５４の曲面５４Ａが有する頂部ＴＳ１は、透明ベルト５２の内周面に最も近い。別の見方をすれば、曲面５４Ａにおける頂部ＴＳ１以外の部位は、透明ベルト５２の内周面と隙間を形成している。ここで、図２に示されるように、透明ベルト５２における頂部ＴＳ１と対向する部位に対して、透明ベルト５２の回転方向上流側の隙間を隙間ＧＡ１といい、透明ベルト５２の回転方向下流側の隙間を隙間ＧＡ２という。
【００５３】
〈補足２〉
前述のとおり、供給部５８に含浸されているシリコーンオイルＯは、透明ベルト５２が軸周りに回転することで、透明ベルト５２の内周面全域に供給されるようになっている。そのため、透明ベルト５２は、その内周面にシリコーンオイルＯが付着されている状態で、定められた経路を走行するようになっている。また、透明ベルト５２の内周面にシリコーンオイルＯが付着されている状態で、透明ベルト５２が定められた経路を走行することに伴い、レンズ５４の曲面５４ＡにはシリコーンオイルＯが付着されるようになっている。
【００５４】
〈補足３〉
レンズ５４について別の見方をすると、レンズ５４は、定められた経路を走行する透明ベルト５２を透過して一端側から入射した光ＬＢを他端側で集光させ、透明ベルト５２が潤滑液Ｏを介して摺動する摺動面が経路に最も近い頂部ＴＳ１を有する曲面５４Ａとされるとともに該摺動面に溝Ｄが形成されているといえる。
【００５５】
以上が、本実施形態の画像形成装置１０の構成及び定着装置２０の構成についての説明である。
【００５６】
［画像形成装置の動作］
次に、本実施形態の画像形成装置１０の動作について、図面を参照しつつ説明する。
【００５７】
画像形成指令を受けた制御部１６は、搬送部１２、トナー画像形成部１４及び定着装置２０を作動させる。そうすると、トナー画像形成部１４では、帯電、露光、現像、転写の各工程が行われ、搬送部１２により搬送される媒体Ｐ上にトナー像Ｇが形成される。そして、トナー像Ｇが形成された媒体Ｐは、搬送部１２により定着装置２０に向けて搬送される。トナー像Ｇが形成された媒体Ｐは、定着装置２０における透明ベルト５２と筒体４２とにより形成されるニップＮを通過する。その際、媒体Ｐ上のトナー像Ｇは、筒体４２により加圧される。また、前述のとおり、筒体４２が媒体Ｐを加圧する部位には光源６６が照射した光ＬＢが集光するように構成されていることから、媒体Ｐ上のトナー像Ｇは、ニップＮを通過する期間のうちの一部の期間、レンズ５４の曲面５４Ｂに集光される光ＬＢにより加熱される。これにより、ニップＮを通過した媒体Ｐ上のトナー像Ｇは、媒体Ｐに定着される。トナー像Ｇが定着された媒体Ｐは、画像形成装置１０の外に排出されて、画像形成装置１０の動作が終了する。
【００５８】
以上が、画像形成装置１０の動作についての説明である。
【００５９】
［作用］
次に、本実施形態の作用について図面を参照しつつ説明する。
【００６０】
以下、本実施形態のレンズ５４の曲面５４Ａに溝Ｄが形成されていることの作用について説明する。ここでは、本実施形態と、以下に説明する比較形態とを比較して、本実施形態の作用を説明する。なお、比較形態において、本実施形態の画像形成装置１０と同様の構成要素を用いる場合、その構成要素等の符号等をそのまま用いて説明する。
【００６１】
〔溝がレンズにおける透明ベルトの摺動面に形成されていることの作用〕
比較形態のレンズ７４の一端側の曲面７４Ａ（光ＬＢの入射面）には、図７及び図９に示されるように、溝Ｄが形成されていない。比較形態のレンズ７４は、この点以外は、本実施形態のレンズ５４と同様の構成とされている。また、比較形態の定着装置２０Ａは、本実施形態のレンズ５４に換えてレンズ７４を備えている点以外、本実施形態の定着装置２０と同様の構成とされている。また、比較形態の画像形成装置１０Ａは、本実施形態の定着装置２０に換えて比較形態の定着装置２０Ａを備える点以外、本実施形態の画像形成装置１０と同様の構成とされている。
【００６２】
比較形態の定着装置２０Ａは、前述のとおり、本実施形態の定着装置２０のレンズ５４をレンズ７４に換えたものである。そうすると、定着装置２０Ａは、レンズ５４の曲面５４Ａのうち頂部ＴＳ１が透明ベルト５２の内周面に最も近い構成とされている。そのため、定着装置２０Ａでは、透明ベルト５２の回転に伴い、シリコーンオイルＯは、頂部ＴＳ１付近まで到達するが、シリコーンオイルＯと透明ベルト５２との付着力及び頂部ＴＳ１と透明ベルト５２との離間距離が狭いことの関係等により頂部ＴＳ１を越えて移動し難い。そうすると、レンズ７４の頂部ＴＳ１には、図７に示されるように、装置奥行き方向（光ＬＢの照射幅方向）においてシリコーンオイルＯが不均一に付着した状態となる場合がある。
【００６３】
そして、この場合、レンズ７４の頂部ＴＳ１に光軸が重なった状態で曲面５４Ａに入射される光ＬＢは、透明ベルト５２を透過後、シリコーンオイルＯを介して入射される光ＬＢと、シリコーンオイルＯを介さず空気層を介して入射される光ＬＢとが混在する。そのため、比較形態の定着装置２０Ａの場合、曲面５４Ｂにおける光ＬＢの照射幅全域に到達する光ＬＢは、シリコーンオイルＯと空気層との光ＬＢに対する吸収率の違いに起因して、透明ベルトの軸方向でばらついて集光する。
【００６４】
これに対して、本実施形態のレンズ５４は、図４、図５及び図８に示されるように、曲面５４Ａにおける透明ベルト５２が摺動する部位に溝Ｄが形成されている。つまり、本実施形態の定着装置２０の場合、図５に示されるように、頂部ＴＳ１と透明ベルト５２との離間距離は、比較形態の定着装置２０Ａの場合に比べて、溝Ｄが形成されている部位では広い。そのため、本実施形態は比較形態に比べて（図７と図８とを比べて）、供給部５８で透明ベルト５２の内周面に供給されたシリコーンオイルＯは、頂部ＴＳ１付近まで到達した後、溝Ｄに入り込むことで、更に頂部ＴＳ１及び頂部ＴＳ１を越えた部位まで移動し易い。その結果、本実施形態は、比較形態に比べて、レンズ５４の頂部ＴＳ１の装置奥行き方向（光ＬＢの照射幅方向）にシリコーンオイルＯが不均一に付着し難い。
【００６５】
したがって、本実施形態のレンズ５４によれば、比較形態のレンズ７４に比べて、透明ベルト５２を介してレンズ５４の一端側から入射した光ＬＢの他端側での透明ベルト５２の軸方向での集光のばらつきを抑制することができる。これに伴い、本実施形態の定着装置２０によれば、比較形態の定着装置２０Ａに比べて、透明ベルト５２の軸方向での光ＬＢの集光のばらつきに起因する定着不良を抑制することができる。また、本実施形態の画像形成装置１０によれば、比較形態の画像形成装置１０Ａに比べて、上記定着不良に起因する画像形成不良を抑制することができる。
【００６６】
〔溝が透明ベルトの走行方向に沿って形成されていることの作用〕
また、比較形態のレンズ７４の一端側の曲面７４Ａ（光ＬＢの入射面）には、図７及び図９に示されるように、溝Ｄが形成されていない。そして、前述のとおり、レンズ７４の頂部ＴＳ１には、図７に示されるように、装置奥行き方向（光ＬＢの照射幅方向）においてシリコーンオイルＯが不均一に付着した状態となる場合がある。そのため、比較形態の定着装置２０Ａの場合、曲面５４Ｂにおける光ＬＢの照射幅全域に到達する光ＬＢは、シリコーンオイルＯと空気層との光ＬＢに対する吸収率の違いに起因して、透明ベルトの軸方向でばらついて集光する。
【００６７】
これに対して、本実施形態のレンズ５４に形成されている溝Ｄは、図４及び図８に示されるとおり、透明ベルト５２の走行方向に沿って形成されている。そのため、透明ベルト５２の内周面に付着したシリコーンオイルＯは、比較形態の定着装置の場合に比べて、透明ベルト５２の搬送方向に搬送され易い。その結果、本実施形態の定着装置２０の場合、シリコーンオイルＯは、頂部ＴＳ１及び頂部ＴＳ１を越えた部位へ到達し易い。
【００６８】
したがって、本実施形態のレンズ５４によれば、比較形態のレンズに比べて、透明ベルト５２を介してレンズ５４の一端側から入射した光ＬＢの他端側での透明ベルト５２の軸方向での集光のばらつきを抑制することができる。これに伴い、本実施形態の定着装置２０によれば、比較形態の定着装置に比べて、透明ベルト５２の軸方向での光ＬＢの集光のばらつきに起因する定着不良を抑制することができる。また、本実施形態の画像形成装置１０によれば、比較形態の画像形成装置に比べて、上記定着不良に起因する画像形成不良を抑制することができる。
【００６９】
≪第２実施形態≫
次に、第２実施形態の定着装置２０Ｂについて、図１０を参照しつつ説明する。なお、本実施形態において、第１実施形態の画像形成装置１０と同様の構成要素を用いる場合、その構成要素等の符号等をそのまま用いて説明する。
【００７０】
［構成］
本実施形態の定着装置２０Ｂは、第１実施形態の定着装置２０に対して、光照射部６０の本体５０に対する配置が異なる。具体的には、光照射部６０は、装置奥行き方向から見ると、レンズ５４の頂部ＴＳ１に対して、透明ベルト５２の走行方向下流側（装置幅方向一方側）にずれた位置に配置されている。そのため、光源６６は、透明ベルト５２におけるレンズ５４の頂部ＴＳ１に対向する部位の外周面よりも透明ベルト５２の走行方向下流側の部位であって、レンズ５４の曲面５４Ａに重なる部位に、装置高さ方向に沿って進行する光ＬＢを入射させるようになっている。本実施形態の定着装置２０Ｂは、この点以外は第１実施形態の定着装置２０と同様の構成とされている。また、本実施形態の画像形成装置１０Ｂは、第１実施形態の定着装置２０に換えて本実施形態の定着装置２０Ｂを備える点以外、本実施形態の画像形成装置１０と同様の構成とされている。
【００７１】
［作用］
本実施形態の定着装置２０Ｂでは、透明ベルト５２は、曲面５４Ａに対向する部位が上下方向に振動しながら、自軸周りに回転する。また、本実施形態の定着装置２０Ｂを観察したところ、透明ベルト５２の上下方向の振幅は、図１１に示されるように、レンズ５４の曲面５４Ａと対向する部位が回転方向上流側から回転方向下流側に亘って徐々に小さくなっていることが確認された。なお、図１１における破線で挟まれた部位Ｓは、透明ベルト５２の軸方向から見て、回転する透明ベルト５２における曲面５４Ａに対向する部位の振幅を誇張して記載している。また、透明ベルト５２の上下方向の振幅が図１１のようになるメカニズムは、以下のように推定される。すなわち、透明ベルト５２は、筒体４２にニップＮで従動して軸周りに回転する。ここで、回転する透明ベルト５２を、便宜上、走行方向において、頂部ＴＳ１に対向する部位からニップＮまでの部分（以下、第１部分という。）と、ニップＮから頂部ＴＳ１に対向する部分（以下、第２部分という。）とに分ける。そうすると、第１部分はニップＮで引っ張られている部分であり、第２部分はニップＮで押し出されている部分と考えられる。つまり、第１部分は第２部分に比べて透明ベルト５２の回転方向に張った状態となっている。別の見方をすれば、第２部分は第１部分に比べて、透明ベルト５２が緩んだ状態となっている。そのため、第１部分は、第２部分よりも上下方向の振幅が小さい。そして、頂部ＴＳ１は、第１部分と第２部分の中央の部位に位置することから、透明ベルト５２における頂部ＴＳ１に対向する部位の上下方向の振幅は、第２部分よりも小さく、第１部分よりも大きいと推定される。
【００７２】
そして、上下方向に振動する透明ベルト５２を透過した光ＬＢがレンズ５４の曲面５４Ａに入射すると、レンズの他端に到達する光は、時間によりその強度（光量）が不均一に集光する（時間による光の集光のばらつき）。
【００７３】
本実施形態の定着装置２０Ｂの光源６６は、前述のとおり、透明ベルト５２の曲面５４Ａに対向する部位であって頂部ＴＳ１と対向する部位に対して回転方向下流側の部位に、光ＬＢを入射させる。そのため、本実施形態の定着装置２０Ｂの光源６６が照射する光ＬＢは、第１実施形態の定着装置２０の光源６６が照射する光ＬＢに比べて、透明ベルト５２における振幅が小さい部位に入射される。
【００７４】
したがって、本実施形態の定着装置２０Ｂによれば、第１実施形態の定着装置２０に比べて、時間による光ＬＢの集光のばらつきに起因する定着不良を抑制することができる。これに伴い、本実施形態の画像形成装置１０Ｂによれば、第１実施形態の画像形成装置１０に比べて、上記定着不良に起因する画像形成不良を抑制することができる。
【００７５】
≪第３実施形態≫
次に、第３実施形態の定着装置２０Ｃについて、図１２を参照しつつ説明する。なお、本実施形態において、第１実施形態の画像形成装置１０と同様の構成要素を用いる場合、その構成要素等の符号等をそのまま用いて説明する。
【００７６】
［構成］
本実施形態の定着装置２０Ｃは、図１２に示されるように、透明ベルト５２の外周面を押圧して、透明ベルト５２の内周面をレンズ５４の曲面５４Ａにおける頂部ＴＳ１よりも透明ベルト５２の回転方向の下流側の部位に押付ける押付部材８０を備えている。本実施形態の定着装置２０Ｃは、この点以外は、第１実施形態の定着装置２０と同様の構成とされている。また、本実施形態の画像形成装置１０Ｃは、本実施形態の定着装置２０Ｃを備える点以外は、第１実施形態の画像形成装置１０と同様の構成とされている。
【００７７】
押付部材８０は、軸周りに回転可能とされる長尺状のロールとされている。押付部材８０は、その軸方向が装置奥行き方向に沿った状態で配置されている。また、押付部材８０は、透明ベルト５２の回転に伴い、透明ベルト５２に従動して矢印Ｒ３方向に回転するようになっている。そして、押付部材８０は、透明ベルト５２の内周面をレンズ５４の曲面５４Ａにおける頂部ＴＳ１よりも透明ベルト５２の回転方向の下流側の部位に押付けることで、第１実施形態の定着装置２０に比べて、隙間ＧＡ２を小さくするように構成されている。
【００７８】
［作用］
前述のとおり、本実施形態の定着装置２０Ｃの場合、押付部材８０は透明ベルト５２をレンズ５４の曲面５４Ａにおける頂部ＴＳ１よりも透明ベルト５２の回転方向の下流側の部位に押付けている。別の見方をすると、透明ベルト５２は、レンズ５４の曲面５４Ａにおける頂部ＴＳ１よりも透明ベルト５２の回転方向下流側の部位であって、少なくとも光ＬＢが入射する部位に巻き掛かっている。そのため、本実施形態の定着装置２０Ｃは、第１実施形態の定着装置２０に比べて、回転する透明ベルト５２における曲面５４Ａに対向する部位の上下方向の振幅が小さい。
【００７９】
したがって、本実施形態の定着装置２０Ｃによれば、第１実施形態の定着装置２０に比べて、位置による光の集光不良に起因する定着不良を抑制することができる。これに伴い、本実施形態の画像形成装置１０Ｃによれば、第１実施形態の画像形成装置１０に比べて、上記定着不良に起因する画像形成不良を抑制することができる。なお、本実施形態のその他の作用は、第１実施形態の場合と同様である。
【００８０】
≪第４実施形態≫
次に、第４実施形態の定着装置２０Ｄについて、図１３を参照しつつ説明する。なお、本実施形態において、第１実施形態の画像形成装置１０、第２実施形態の画像形成装置１０Ｂ及び第３実施形態の画像形成装置１０Ｃと同様の構成要素を用いる場合、その構成要素等の符号等をそのまま用いて説明する。
【００８１】
［構成］
本実施形態の定着装置２０Ｄは、光照射部６０の本体５０に対する配置が第２実施形態の定着装置２０Ｂの場合と同様の配置とされている。具体的には、光照射部６０は、装置奥行き方向から見ると、レンズ５４の頂部ＴＳ１に対して、透明ベルト５２の走行方向下流側（装置幅方向一方側）にずれた位置に配置されている。また、本実施形態の定着装置２０Ｄは、第３実施形態の定着装置２０Ｃと同様、透明ベルト５２の外周面を押圧して、透明ベルト５２の内周面をレンズ５４の曲面５４Ａにおける頂部ＴＳ１よりも透明ベルト５２の回転方向の下流側の部位に押付ける押付部材８０を備えている。本実施形態の定着装置２０Ｄは、これらの点以外は第１実施形態の定着装置２０と同様の構成とされている。また、本実施形態の画像形成装置１０Ｄは、第１実施形態の定着装置２０に換えて本実施形態の定着装置２０Ｄを備える点以外、本実施形態の画像形成装置１０と同様の構成とされている。
【００８２】
［作用］
本実施形態の作用は、第２実施形態及び第３実施形態の作用を相乗した作用を奏する。本実施形態のその他の作用は、第１実施形態の作用と同様である。
【００８３】
≪第５実施形態≫
次に、第５実施形態の定着装置２０Ｅについて、図１４及び図１５を参照しつつ説明する。なお、本実施形態において、第１実施形態の画像形成装置１０、第２実施形態の画像形成装置１０Ｂ、第３実施形態の画像形成装置１０Ｃ及び第４実施形態の画像形成装置１０Ｄと同様の構成要素を用いる場合、その構成要素等の符号等をそのまま用いて説明する。
【００８４】
［構成］
本実施形態の定着装置２０Ｅは、第１〜第４実施形態の透明ベルト５２に変えて、透明ベルト５２Ｅを備えている。具体的には、本実施形態の透明ベルト５２Ｅの内周面には、透明ベルト５２Ｅの周方向全周に亘って透明ベルト５２Ｅの内側（軸ＣＬ側）に突出している凸部ＣＳ１が、複数形成されている。各凸部ＣＳ１は、透明ベルト５２Ｅを軸ＣＬ全体を含む仮想平面で切った断面で見ると、図１５に示されるように、透明ベルト５２Ｅの内側に突出する曲線を形成している。そして、各曲線は、透明ベルト５２Ｅの軸方向に連続して並んでいる。換言すると、各凸部ＣＳ１は、透明ベルト５２Ｅの周方向全周に亘り、透明ベルト５２Ｅの内側に突出して曲面状に形成されている。そして、各凸部ＣＳ１は、透明ベルト５２Ｅの軸方向で隣接する他の凸部ＣＳ１と連続して並べられ（曲面で繋がって）ている。また、隣接する凸部ＣＳ１が繋がっている部分には、溝Ｄ１が形成されている。溝Ｄ１は、前述の凸部ＣＳ１との関係から、透明ベルト５２Ｅの周方向全周に亘って形成されている。そして、溝Ｄ１は、透明ベルト５２Ｅの軸方向に沿って、隣接する凸部ＣＳ１の配置間隔で並べられている。本実施形態の定着装置２０Ｅは、これらの点以外は第１実施形態の定着装置２０と同様の構成とされている。また、本実施形態の画像形成装置１０Ｅは、第１実施形態の定着装置２０に換えて本実施形態の定着装置２０Ｄを備える点以外、本実施形態の画像形成装置１０と同様の構成とされている。
【００８５】
［作用］
本実施形態の透明ベルト５２Ｅの内周面には、前述のとおり、溝Ｄ１が形成されている。そのため、透明ベルト５２Ｅでは、図１５に示されるように、供給部５８で透明ベルト５２Ｅの内周面に供給されたシリコーンオイルＯが、溝Ｄに付着した状態で頂部ＴＳ１付近まで到達した後、更に頂部ＴＳ１及び頂部ＴＳ１を越えた部位まで移動し易い。本実施形態の定着装置２０Ｅの場合、頂部ＴＳ１と透明ベルト５２Ｅとの離間距離は、第１〜第４実施形態の定着装置２０、２０Ｂ〜２０Ｄの場合に比べて、溝Ｄ１が形成されている部位では広い。その結果、本実施形態の定着装置２０Ｅの場合、第１〜第４実施形態の定着装置２０、２０Ｂ〜２０Ｄの場合に比べて、シリコーンオイルＯは、頂部ＴＳ１及び頂部ＴＳ１を越えた部位へ到達し易い。
【００８６】
したがって、本実施形態の定着装置２０Ｅによれば、第１〜第４実施形態の定着装置２０、２０Ｂ〜２０Ｄに比べて、位置による光の集光不良に起因する定着不良を抑制することができる。また、本実施形態の画像形成装置１０Ｅによれば、第１〜第４実施形態の定着装置２０、２０Ｂ〜２０Ｄに比べて、上記定着不良に起因する画像形成不良を抑制することができる。本実施形態のその他の作用は、第１実施形態の場合と同様である。
【００８７】
以上のとおり、本発明を特定の実施形態について詳細に説明したが、本発明は前述した実施形態に限定されるものではなく、本発明の技術的思想の範囲内にて他の実施形態が可能である。
【００８８】
例えば、各実施形態の定着装置２０、２０Ｂ、２０Ｃ、２０Ｄ、２０Ｅでは、シリコーンオイルＯが含浸されている供給部５８を透明ベルト５２、５２Ｅの内周面に接触させることで、透明ベルト５２、５２Ｅの内周面にシリコーンオイルＯを付着させるとして説明した。しかしながら、透明ベルト５２の内周面にシリコーンオイルＯが付着されていれば、定着装置２０、２０Ｂ、２０Ｃ、２０Ｄ、２０Ｅに供給部５８を設けなくてもよい。
【００８９】
また、各実施形態の定着装置２０、２０Ｂ、２０Ｃ、２０Ｄ、２０Ｅでは、潤滑液の一例としてシリコーンオイルＯを用いるとして説明した。しかしながら、透明ベルト５２と、透明ベルト５２内に配置されているレンズ５４及びガイド部５６との摺動による摩擦を低減し、光ＬＢを透過させる液体であれば、本実施形態の定着装置２０、２０Ｂ、２０Ｃ、２０Ｄ、２０Ｅに用いられる潤滑液は、シリコーンオイルＯでなくてもよい。例えば、パラフィンオイル等であってもよい。
【００９０】
また、各実施形態の定着装置２０、２０Ｂ、２０Ｃ、２０Ｄ、２０Ｅでは、加圧部４０を構成する筒体４２が、駆動源により軸周りに回転されるとして説明した。しかしながら、筒体４２は、定着動作の際、透明ベルト５２とともにニップＮを形成して軸周りに回転することができればよい。例えば、筒体４２は、透明ベルト５２、５２Ｅに従動して回転されるようにしてもよい。
【００９１】
また、各実施形態のレンズ５４の溝Ｄは、曲面５４Ａにおける頂部ＴＳ１に対して透明ベルト５２の走行方向上流側から頂部ＴＳ１に対して下流側に亘って、透明ベルト５２の走行方向に沿って形成されているとして説明した。しかしながら、溝Ｄは、透明ベルト５２と曲面５４Ａにおける透明ベルト５２の摺動面に形成されており、シリコーンオイルＯが入り込めれば、各実施形態の溝Ｄでなくてもよい。例えば、図１６（Ａ）のように、レンズ７４Ａを頂部ＴＳ１全体を含む仮想平面（ＹＺ面）で切った断面で見ると、溝Ｄ２は、装置奥行き方向一端側から他端側に亘る正弦波の凹部分に相当する部分であってもよい。また、図１６（Ｂ）のように、レンズ７４Ｂを頂部ＴＳ１全体を含む仮想平面（ＹＺ面）で切った断面で見ると、溝Ｄ３は、装置奥行き方向一端側から他端側に亘る三角波の凹部分に相当する部分であってもよい。
【００９２】
また、各実施形態のレンズ５４の溝Ｄは、曲面５４Ａにおける頂部ＴＳ１に対して透明ベルト５２の走行方向上流側から頂部ＴＳ１に対して下流側に亘って、透明ベルト５２の走行方向に沿って形成されているとして説明した。しかしながら、溝Ｄは、透明ベルト５２と曲面５４Ａにおける透明ベルト５２の摺動面に形成されており、シリコーンオイルＯが入り込めれば、各実施形態の溝Ｄのように透明ベルト５２の走行方向に沿っていなくてもよい。例えば、溝Ｄは、図１７（Ａ）及び図１８のように、透明ベルト５２の走行方向に対して傾斜する方向に沿って形成されていてもよい。また、溝Ｄは、図１７（Ｂ）のように、装置高さ方向から見て曲線を形成していてもよい。
【００９３】
また、第５実施形態の定着装置２０Ｅの透明ベルト５２Ｅでは、溝Ｄ１が透明ベルト５２Ｅの周方向全周に亘って形成されているとして説明した。しかしながら、透明ベルト５２の回転に伴い、透明ベルト５２よりも多量のシリコーンオイルＯをレンズ５４の頂部ＴＳ１まで到達させることができれば、溝Ｄ１の方向は、透明ベルト５２の周方向でなくてもよい。同様の条件を満たせば、溝Ｄ１は、透明ベルト５２の周方向全周に亘って形成されていなくてもよい。例えば、溝Ｄ１は、図１９（Ａ）に図示した透明ベルトの溝Ｄ４のように、透明ベルトの軸方向（Ｚ、−Ｚ方向）に傾斜する方向に形成されていてもよい。また、溝Ｄ１は、図１９（Ｂ）に図示した透明ベルトの溝Ｄ５のように、透明ベルトの軸方向に沿って形成されていてもよい。また、溝Ｄ１は、図１９（Ｃ）に図示した透明ベルトの溝Ｄ６のように、曲線を形成していてもよい。
【００９４】
また、第１実施形態では、透明ベルト５２がレンズ５４の曲面５４Ａを摺動面として摺動するとして説明した。しかしながら、定着装置２０では、透明ベルト５２がレンズ５４の曲面５４Ａに摺動せずに定められた経路を走行するように構成してもよい。この点は、他の実施形態の場合も同様である。
【００９５】
また、第１実施形態では、レンズ５４の曲面５４Ａに形成されている各凸部ＣＳ（又は溝Ｄ）は、装置奥行き方向に連続して並べられているとして説明した。しかしながら、各凸部ＣＳ（又は溝Ｄ）は、装置奥行き方向に連続して並べられていなくてもよい。例えば、装置奥行き方向に隣接する凸部ＣＳ（又は溝Ｄ）の間隔は、等間隔でなくてもよい。また、凸部ＣＳ（又は溝Ｄ）は、複数でなくてもよい（１つであってもよい）。
【００９６】
また、発明を実施するための形態では、第１〜第５実施形態に分けて、それぞれ別個に説明した。しかしながら、各実施形態の一部同士を組み合わせた形態も、本発明の技術的範囲に含まれる。例えば、第２実施形態の定着装置２０Ｂにおいて、透明ベルト５２を第５実施形態の透明ベルト５２Ｅに換えた定着装置は本発明の技術的範囲に含まれる。また、第３実施形態の定着装置２０Ｃにおいて、透明ベルト５２を第５実施形態の透明ベルト５２Ｅに換えた定着装置等も本発明の技術的範囲に含まれる。
【符号の説明】
【００９７】
１０        画像形成装置
１０Ｂ      画像形成装置
１０Ｃ      画像形成装置
１０Ｄ      画像形成装置
１０Ｅ      画像形成装置
１４        トナー画像形成部（形成手段の一例）
２０        定着装置
２０Ｂ      定着装置
２０Ｃ      定着装置
２０Ｄ      定着装置
２０Ｅ      定着装置
４０        加圧部
５２        透明ベルト
５２Ｅ      透明ベルト
５４        レンズ
５４Ａ      曲面、摺動面
５４Ｂ      曲面（他端の一例）
６６        光源
８０        押付部材
Ｄ          レンズの摺動面に形成されている溝
Ｄ２        レンズの摺動面に形成されている溝
Ｄ３        レンズの摺動面に形成されている溝
Ｄ２        透明ベルトの内周面に形成されている溝
Ｄ４        透明ベルトの内周面に形成されている溝
Ｄ５        透明ベルトの内周面に形成されている溝
Ｄ６        透明ベルトの内周面に形成されている溝
Ｇ          トナー像（現像剤像の一例）
ＬＢ        光
Ｏ          シリコーンオイル（潤滑液の一例）
Ｐ          媒体
Ｒ１        透明ベルトの走行方向
ＴＳ１      頂部
【図１】
2016126208.tif 000003
【図２】
2016126208.tif 000004
【図３】
2016126208.tif 000005
【図４】
2016126208.tif 000006
【図５】
2016126208.tif 000007
【図６】
2016126208.tif 000008
【図７】
2016126208.tif 000009
【図８】
2016126208.tif 000010
【図９】
2016126208.tif 000011
【図１０】
2016126208.tif 000012
【図１１】
2016126208.tif 000013
【図１２】
2016126208.tif 000014
【図１３】
2016126208.tif 000015
【図１４】
2016126208.tif 000016
【図１５】
2016126208.tif 000017
【図１６】
2016126208.tif 000018
【図１７】
2016126208.tif 000019
【図１８】
2016126208.tif 000020
【図１９】
2016126208.tif 000021